(57)【特許請求の範囲】
【請求項１】
目地が形成されるように互いに離隔して配置された２つの外装パネルと、
前記２つの外装パネルの内面側で、前記２つの外装パネルに沿うように配置されると共に、互いの継ぎ目部分が、前記目地の延在方向に沿って目地底に位置するように配置された２つのボード状断熱材と、
前記ボード状断熱材の内面側に位置し、前記外装パネル及び前記ボード状断熱材が固定される取付下地材と、
前記目地に外面側から挿入されるガスケットと、を備え、
前記ガスケットの内面には、前記継ぎ目部分において、前記２つのボード状断熱材の両方の外面に跨って直接粘着する粘着部が形成されていることを特徴とする断熱気密外壁構造。
【請求項２】
一方の外装パネル、一方のボード状断熱材、並びに前記一方の外装パネル及び前記一方のボード状断熱材が固定される取付下地材は、一体化された第１の複合パネルユニットの少なくとも一部を構成し、
他方の外装パネル、他方のボード状断熱材、並びに前記他方の外装パネル及び前記他方のボード状断熱材が固定される取付下地材は、一体化された第２の複合パネルユニットの少なくとも一部を構成し、
前記目地は、前記第１の複合パネルユニットと前記第２の複合パネルユニットとの間に形成されていることを特徴とする、請求項１に記載の断熱気密外壁構造。
【請求項３】
各複合パネルユニットは、複数の外装パネルを上下方向及び／または左右方向に連接して板状に形成された外装パネル層と、前記外装パネル層の内面側において、複数のボード状断熱材を上下方向及び／または左右方向に連接して板状に形成されたボード状断熱材層と、を備えることを特徴とする、請求項２に記載の断熱気密外壁構造。
【請求項４】
前記ガスケットは、前記２つの外装パネルに挟まれるガスケット本体と、
前記ガスケット本体の内面側に第１粘着層を介在させて取り付けられる先端部材と、
前記先端部材の内面側に積層される第２粘着層と、を備え、
前記粘着部は、前記第２粘着層であることを特徴とする、請求項１乃至３のいずれか１つに記載の断熱気密外壁構造。
【請求項５】
前記ガスケット本体は、前記目地の延在方向に沿って延在する長尺板状の胴部と、前記胴部から外方に突出し、前記２つの外装パネルに密着して前記目地内での前記胴部の位置を維持する突出部と、を備え、
前記第１粘着層、先端部材及び第２粘着層は、前記胴部の内面に積層されていることを特徴とする、請求項４に記載の断熱気密外壁構造。
【請求項６】
前記ガスケットは、湿式シーリング材が外面側に充填されるバッカーであることを特徴とする、請求項１乃至５のいずれか１つに記載の断熱気密外壁構造。
【発明の詳細な説明】
【技術分野】
【０００１】
本発明は、断熱気密外壁構造に関し、特に、ガスケットを用いた断熱気密外壁構造に関する。
【背景技術】
【０００２】
従来から、一般の住宅の気密工事は、壁内での結露を抑制するために、断熱材の屋内側にポリエチレンシート等の気密シートを覆い、その継ぎ目を気密テープで塞ぐことによって行われている。ところが、断熱材の屋内側にはコンセントやスイッチボックス、照明器具などの配線のような、気密シートを貫通する部材が多数存在するため、この気密工事を完全に行うためには、独特多様な気密部品、施工ノウハウ、テクニックなどが必要になる。特に、鉄骨軸組構造では、Ｈ型鋼の梁、梁の鉄骨柱とのジョイント部品、鉄骨に設けられたボルト固定用の穴など存在するため、木造住宅と比較して、上述した気密シート及び気密テープによる気密工事が難しい。
【０００３】
これに対して、構造躯体の屋外側に張り巡らしてなるボード状断熱材の継ぎ目部分に、ボード状断熱材の屋外側から目地テープを貼着することにより気密化を図る気密工事が知られている（特許文献１参照）。この気密工事は、ボード状断熱材の屋外側から行うものであるため、気密シート及び気密テープにより断熱材の屋内側から行う上述の気密工事よりも工事が容易である。
【先行技術文献】
【特許文献】
【０００４】
【特許文献１】特開２００７−１６４７７号公報
【発明の概要】
【発明が解決しようとする課題】
【０００５】
しかしながら、特許文献１に開示されている、ボード状断熱材の突合せ部分に屋外側から目地テープを貼着する工事は、ボード状断熱材の屋外側に外装材としての外装パネルを取り付ける前に行う必要があり、外装パネルを取り付けた後に行うことはできない。そのため、特許文献１に開示の外壁構造では、ボード状断熱材及び外装パネルそれぞれを、建設現場で別々に取り付ける作業が必要となり、建設現場の条件等によっては、建設現場での作業負担が大きくなるおそれがある。
【０００６】
本発明の目的は、外装パネルの外面側（屋外側）からであっても、外装パネルの内面側（屋内側）に位置するボード状断熱材の継ぎ目部分の気密工事を行うことが可能な断熱気密外壁構造を提供することである。
【課題を解決するための手段】
【０００７】
本発明の第１の態様としての断熱気密外壁構造は、目地が形成されるように互いに離隔して配置された２つの外装パネルと、前記２つの外装パネルの内面側で、前記２つの外装パネルに沿うように配置されると共に、互いの継ぎ目部分が、前記目地の延在方向に沿って目地底に位置するように配置された２つのボード状断熱材と、前記ボード状断熱材の内面側に位置し、前記外装パネル及び前記ボード状断熱材が固定される取付下地材と、前記目地に外面側から挿入されるガスケットと、を備え、前記ガスケットの内面には、前記継ぎ目部分において、前記２つのボード状断熱材の両方の外面に跨って直接粘着する粘着部が形成されていることを特徴とするものである。
【０００８】
本発明の１つの実施形態としての断熱気密外壁構造は、一方の外装パネル、一方のボード状断熱材、並びに前記一方の外装パネル及び前記一方のボード状断熱材が固定される取付下地材は、一体化された第１の複合パネルユニットの少なくとも一部を構成し、他方の外装パネル、他方のボード状断熱材、並びに前記他方の外装パネル及び前記他方のボード状断熱材が固定される取付下地材は、一体化された第２の複合パネルユニットの少なくとも一部を構成し、前記目地は、前記第１の複合パネルユニットと前記第２の複合パネルユニットとの間に形成されていることが好ましい。
【０００９】
本発明の１つの実施形態として、各複合パネルユニットは、複数の外装パネルを上下方向及び左右方向に連接して板状に形成された外装パネル層と、前記外装パネル層の内面側において、複数のボード状断熱材を上下方向及び左右方向に連接して板状に形成されたボード状断熱材層と、を備えることが好ましい。
【００１０】
本発明の１つの実施形態として、前記ガスケットは、前記２つの外装パネルに挟まれるガスケット本体と、前記ガスケット本体の内面側に第１粘着層を介在させて取り付けられる先端部材と、前記先端部材の内面側に積層される第２粘着層と、を備え、前記粘着部は、前記第２粘着層であることが好ましい。
【００１１】
本発明の１つの実施形態として、前記ガスケット本体は、前記目地の延在方向に沿って延在する長尺板状の胴部と、前記胴部から外方に突出し、前記２つの外装パネルに密着して前記目地内での前記胴部の位置を維持する突出部と、を備え、前記第２粘着層は、前記胴部の内面側に位置することが好ましい。
【００１２】
本発明の１つの実施形態として、前記ガスケットは、湿式シーリング材が外面側に充填されるバッカーであることが好ましい。
【発明の効果】
【００１３】
本発明によれば、外装パネルの外面側からであっても、外装パネルの内面側に位置するボード状断熱材の継ぎ目部分の気密工事を行うことが可能な断熱気密外壁構造を提供することができる。
【図面の簡単な説明】
【００１４】
【図１】本発明の一実施形態としての断熱気密外壁構造を示す平断面である。
【図２】図１の断熱気密外壁構造を構成する１つの複合パネルユニットを示す平断面図である。
【図３】図２に示す複合パネルユニットのＩ−Ｉ線での縦断面図である。
【図４】図２に示す複合パネルユニットを外面側から見た図である。
【図５】ガスケットの詳細を示す図である。
【図６（ａ）】図１に示す断熱気密外壁構造の施工において、鉄骨柱１００の外面側に、第２の複合パネルユニット２ｂを設置した状態を示す図である。
【図６（ｂ）】第１のパネルユニット２ａを挿入しつつある状態を示す図である。
【図６（ｃ）】第１の複合パネルユニット２ａを所定位置に設置した状態を示す図である。
【図６（ｄ）】ガスケットを目地に挿入する直前の状態を示す図である。
【図６（ｅ）】ガスケットが所定位置まで押し込まれた状態を示す図である。
【発明を実施するための形態】
【００１５】
以下、本発明に係る断熱気密外壁構造の実施形態について、図１〜図６を参照しながら説明する。図１は、鉄骨柱及び鉄骨梁からなる鉄骨軸組構造の建物（住宅）に対して、本発明の一本実施形態としての断熱気密外壁構造１を適用した場合の平断面図である。なお、図１の平断面図は、１本の鉄骨柱１００の周囲のみ示している。
【００１６】
断熱気密外壁構造１は、柱部材としての鉄骨注１００の屋外側で、建物の周囲を囲むように連接される複数の複合パネルユニット２と、複数の複合パネルユニット２間の目地１２に挿入されるガスケット３と、鉄骨柱１００の屋内側に設けられた内装材９０としての石膏ボードと、を備える。なお、図１では、連接される複数の複合パネルユニット２のうち、隣接する２つの複合パネルユニットである、第１の複合パネルユニット２ａ及び第２の複合パネルユニット２ｂを示している。
【００１７】
図２〜図４は、第１の複合パネルユニット２ａを示す図である。具体的に、図２は、第１の複合パネルユニット２ａの平断面図であり、図３は、第１の複合パネルユニット２ａの、図２に示すＩ―Ｉ線での縦断面図である。図４は、第１の複合パネルユニット２ａを外面側から見た図である。第１の複合パネルユニット２ａは、外装パネル層４ａと、この外装パネル層４ａの内面側に位置するボード状断熱材層５ａと、外装パネル層４ａ及びボード状断熱材層５ａが固定される取付下地材６ａと、ボード状断熱材層５ａの内面に貼り付けられたボード面材７ａと、ボード面材７ａの内面に形成された充填断熱材層８ａと、外装パネル層４ａ及びボード状断熱材層５ａの間に位置する通気胴縁９ａと、が一体化されたパネル材である。なお、本実施形態では、建物の屋内側を「内面側」、屋外側を「外面側」と記載する。また、鉛直方向を「上下方向」、内外方向と直交する水平方向を「左右方向」と記載する。更に、「左側」及び「右側」は、外面側から見た場合の方向を示すものとする。
【００１８】
外装パネル層４ａは、内面側及び外面側から見た場合に四角形状の外形を有する外装パネル１０を、上下方向及び左右方向に複数連接することにより形成された板状の層である。より具体的に、外装パネル１０は、上下面同士が隣接するように上下方向に連接されており、左右の側面同士が隣接するように左右方向に連接されている。そのため、図４に示すように、外装パネル層４ａ全体で見た場合も、内面側及び外面側から見た場合には四角形状の外形を有している。
【００１９】
なお、外装パネル層４ａにおいて、上下方向において隣接する２つの外装パネル１０間は、上側に位置する外装パネル１０の下面と、下側に位置する外装パネル１０の上面とが当接するように隣接している（図３参照）。また、外装パネル層４ａにおいて、左右方向において隣接する２つの外装パネル１０間は、左側に位置する外装パネル１０の右面と、右側に位置する外装パネル１０の左面とが当接するように隣接している（図２参照）。外装パネル層４ａにおいて、外装パネル１０の上下方向及び左右方向における継ぎ目部分には、湿式のシーリング材等の目地処理材Ｘが充填される。
【００２０】
本実施形態では、外装パネル１０として、軽量発泡コンクリート製のパネル（ＡＬＣパネル）を使用しているが、外装パネル１０の材質はこれに限られるものではなく、例えば、木質系や金属系のサイディング等を用いることもできる。また、本実施形態では、８枚（上下方向に４枚、左右方向に２枚）の外装パネル１０により外装パネル層４ａを構成しているが、外装パネル層を構成する外装パネル１０の枚数についてもこれに限られるものではなく、建物の階高、柱間距離、デザイン等に応じて適宜変更することができる。更に、本実施形態では、外装パネル層４ａの内面及び外面は、上下方向の高さが建物の階高と同じ高さ寸法を有し、幅が２間（３．６ｍ）の寸法を有するように構成されているが、外装パネル１０自体の寸法や外装パネル４ａ全体の寸法についても、これに限られるものではなく、建物のデザイン等に応じて適宜変更するが可能であり、例えば、隣り合う柱間を塞ぐ幅として、半間（０．９ｍ）〜２間（３．６ｍ）の幅を有するものとすることができる。
【００２１】
ボード状断熱材層５ａは、内面側及び外面側から見た場合に四角形状の外形を有するボード状断熱材１１を、上下方向及び左右方向に複数連接することにより形成された板状の層である。より具体的に、ボード状断熱材１１は、上下面同士が隣接するように上下方向に連接されており、左右の側面同士が隣接するように左右方向に連接されている。そのため、ボード状断熱材層５ａ全体で見た場合も、内面側及び外面側から見た場合には四角形状の外形を有している。
【００２２】
なお、複数のボード状断熱材１１の上下面同士及び左右の側面同士の継ぎ目部分は、気密性を確保するために、当接するように隣接させることが好ましい。但し、継ぎ目部分を、所定間隔（例えば５ｍｍ）以下の間隙を隔てて隣接する構成としてもよい。なお、ボード状断熱材層５ａにおいて、隣接するボード状断熱材１１間の継ぎ目部分には、外面側又は内面側から、例えばアクリル系やブチルゴム系などの気密テープＹが、隣接するボード状断熱材１１の両方に跨るように貼着されている。
【００２３】
本実施形態では、ボード状断熱材１１として、フェノールフォーム製のソリッドなボード状断熱材を使用しているが、これに限られるものではなく、一定の外形を保持可能に成形されたソリッドな断熱材であればよく、例えば、押出発泡ポリスチレン（ＸＰＳ）製、ビーズ法ポリスチレンフォーム（ＥＰＳ）製などのソリッドなボード状断熱材を使用することも可能である。また、本実施形態では、外装パネル層４ａの寸法に合わせて、９枚（上下方向３枚、左右方向３枚）のボード状断熱材１１によりボード状断熱材層５ａを構成している。
【００２４】
ここで、本実施形態のボード状断熱材層５ａの内面及び外面は、上述した外装パネル層４ａと略等しい高さ寸法を有する一方で、その幅（左右方向長さ）は、上述した外装パネル層４ａの幅よりも若干大きく構成されている。また、ボード状断熱材層５ａは、その幅方向中心線Ｏ５が外装パネル層４ａの幅方向中心線Ｏ４と略一致するように、外装パネル層４ａの内面側に配置されている。
【００２５】
このような構成とすることにより、第１の複合パネルユニット２ａにおけるボード状断熱材層５ａの右面と、第２の複合パネルユニット２ｂにおけるボード状断熱材層５ｂの左面とを、当接させるように隣接、又は所定間隔以下の間隙を隔てて隣接させる場合に（図１参照）、第１の複合パネルユニット２ａにおける外装パネル層４ａの右面と、第２の複合パネルユニット２ｂにおける外装パネル層４ｂの左面との間に、上下方向に直線状に延在する目地１２を形成することができる。更に、第１複合パネルユニット２ａにおけるボード状断熱材層５ａの右面と、第２の複合パネルユニット２ｂにおけるボード状断熱材層５ｂの左面とが隣接する継ぎ目部分を、目地１２の延在方向に沿って目地底に位置させることができる。ここで示す目地１２は１０ｍｍ程度の幅である。また、外装パネル層４ａの外面から目地底までの深さは、２８ｍｍ以上（外装パネル１０の厚さが１２ｍｍ以上であり、通気胴縁９ａの厚さ（通気層）が１５ｍｍ以上）としている。
【００２６】
取付下地材６ａは、外装パネル層４ａ及びボード状断熱材層５ａが固定されるフレーム部材であり、横断面がコの字型の薄板形鋼（溝形鋼）で形成されている。また、取付下地材６ａは、左右方向に延在する横材６０ａ及び上下方向に延在する縦材６１ａを備えている。横材６０ａは、例えば基礎上に外壁に沿って設置され、縦材６１ａは、その横材６０ａ上で等間隔に複数配置されている。縦材６１ａの上側にもＨ型鋼などの鉄骨梁に固定された横材６０ａが設置されている。従って、縦材６１ａは、横材６０ａにより上下が覆われている。
【００２７】
取付下地材６ａは、外装パネル層４ａ、通気胴縁９ａ、ボード状断熱材層５ａ及びボード面材７ａの内面側に位置しており、これらの部材を支持している。具体的に、各縦材６１ａは、一方の溝壁１４ａが内面側に対向し、他方の溝壁１５ａが外面側に対向するように配置されており、外装パネル層４ａ、通気胴縁９ａ、ボード状断熱材層５ａ及びボード面材７ａは、ビスやねじ等の締結手段９１により、他方の側壁１５ａに対して直接的又は間接的に固定されている。
【００２８】
より具体的に、本実施形態のボード状断熱材層５ａは、ボード状断熱材層５ａの内面に貼り付けられているボード面材７ａ、及びボード状断熱材層５ａの外面上に設けられた通気胴縁９ａと共に、ねじにより、取付下地材６ａ（縦材６１ａの他方の側壁１５ａ）に対して直接固定されている。なお、本実施形態のボード状断熱材層５ａは、取付下地材６ａに対してねじにより固定される前に、ボード面材７ａに対して両面テープ（不図示）により仮固定されており、この仮固定されて一体化されたボード状断熱材層５ａ及びボード面材７ａが、通気胴縁９ａと共に、ねじにより、取付下地材６ａに対して固定される。また、本実施形態の外装パネル層４ａは、外装パネル層４ａの内面側に位置する通気胴縁９ａ及びボード状断熱材層５ａに対して、ねじにより直接固定されることにより、間接的に取付下地材６ａに対して固定されている。但し、外装パネル層４ａ及びボード状断熱材層５ａの両方を、取付下地材６ａに対して直接固定することも可能である。例えば、ねじを、外装パネル層４ａの外面から通気胴縁９ａ及びボード状断熱材層５ａを貫通するように螺入することにより、外装パネル層４ａ及びボード状断熱材層５ａの両方を取付下地材６ａに対して直接固定することができる。
【００２９】
ボード面材７ａは、第１の複合パネルユニット２ａ全体の形状維持や、ボード状断熱材層５ａの損傷を防止するために、ボード状断熱材層５ａの内面全域に貼り付けられている。
【００３０】
充填断熱材層８ａは、隣接する縦材６１ａの間の位置で、ボード面材７ａの内面上に積層された断熱材層である。充填断熱材層８ａは、ボード状断熱材１１と同様、ソリッドな断熱材で形成することができるが、ソリッドな断熱材に限られるものではなく、例えば、グラスウールやロックウールなどで形成された断熱材層とすることもできる。充填断熱材層８ａは、ボード面材７ａに対して接着剤や両面テープ等により固定されている。なお、壁内での結露を抑制するために、充填断熱材層８ａの熱抵抗値を、ボード状断熱材層５ａの熱抵抗値よりも小さくすることが好ましい。
【００３１】
通気胴縁９ａは、横断面が長方形であり、上下方向に長尺な長尺部材である。この通気胴縁９ａは、外装パネル層４ａとボード状断熱材層５ａとの間で両者に挟み込まれている。また、通気胴縁９ａは、左右方向に離隔して複数配置されている。これにより、左右方向に隣接する通気胴縁９ａの間に通気層が形成される。なお、左右方向に隣接する通気胴縁９ａの離隔距離は、例えば３００ｍｍ程度とすることができ、外装パネル層４ａは、各通気胴縁９ａに対してねじ等により固定されている。
【００３２】
ここで、本実施形態の第１の複合パネルユニット２ａは、外装パネル層４ａ、ボード状断熱材層５ａ、取付下地材６ａ、ボード面材７ａ、充填断熱材層８ａ及び通気胴縁９ａを備える構成であるが、この構成に限られるものではなく、外装パネル層、ボード状断熱材層、及び取付下地材を少なくとも備える構成であればよく、例えば、上述したボード面材７ａ及び充填断熱材層８ａを有さない複合パネルユニットとすることもできる。
【００３３】
第２の複合パネルユニット２ｂは、外装パネル層４ｂと、この外装パネル層４ｂの内面側に位置するボード状断熱材層５ｂと、外装パネル層４ｂ及びボード状断熱材層５ｂが固定される取付下地材６ｂと、ボード状断熱材層５ｂの内面に貼り付けられたボード面材７ｂと、ボード面材７ｂの内面に形成された充填断熱材層８ｂと、外装パネル層４ｂ及びボード状断熱材層５ｂの間に位置する通気胴縁９ｂと、が一体化されたパネル材である。なお、第２の複合パネルユニット２ｂの各部材の構成は、上述した第１の複合パネルユニット２ａの各構成と共通するため、ここでは説明を省略する。
【００３４】
図１に示すように、断熱気密外壁構造１において、第１の複合パネルユニット２ａ及び第２の複合パネルユニット２ｂは、鉄骨柱１００の外面側で、外装パネル層４ａ及び４ｂの左右の側面間に目地１２が形成されるように、更に、ボード状断熱材層５ａ及び５ｂの左右の側面同士が当接することにより隣接して、又は所定間隔以下の間隙を隔てて隣接して継ぎ目部分が形成されるように配置されている。なお、第１及び第２の複合パネルユニット２ａ及び２ｂは、取付下地材６ａ及び６ｂを介して建物の基礎や鉄骨梁に対して固定される。
【００３５】
換言すれば、第１の複合パネルユニット２ａ及び第２の複合パネルユニット２ｂが、図１のように連接された状態において、外装パネル層４ａを構成する外装パネル１０ａと、外装パネル層４ｂを構成する外装パネル１０ｂとは、両者の間に目地１２が形成されるように互いに左右方向に離隔して配置されている。
【００３６】
また、ボード状断熱材層５ａを構成するボード状断熱材１１ａと、ボード状断熱材層５ｂを構成するボード状断熱材１１ｂとは、上述した２つの外装パネル１０ａ及び１０ｂの内面側で、外装パネル１０ａ及び１０ｂの内面に沿うように配置されている。更に、ボード状断熱材１１ａ及び１１ｂは、互いの継ぎ目部分が、目地１２の延在方向に沿って目地底に位置するように配置されている。つまり、断熱気密外壁構造１を外面側から見た場合に、ボード状断熱材１１ａ及び１１ｂの継ぎ目部分、すなわち、ボード状断熱材１１ａの右側外縁部及びボード状断熱材１１ｂの左側外縁部は、目地１２内に位置するように延在している。なお、「２つのボード状断熱材の継ぎ目部分」とは、２つのボード状断熱部材の外縁部のうち、当接することにより隣接して、又は所定間隔以下の間隙を隔てて隣接して配置された両方の外縁部を意味する。
【００３７】
また更に、取付下地材６ａ及び６ｂは、ボード状断熱材１１ａ及び１１ｂそれぞれの内面側に位置し、取付下地材６ａには、外装パネル１０ａ及びボード状断熱材１１ａが固定され、取付下地材６ｂには、外装パネル１０ｂ及びボード状断熱材１１ｂが固定されている。
【００３８】
なお、図１に示すように、第１の複合パネルユニット２ａ及び第２の複合パネルユニット２ｂが連接された状態において、鉄骨柱１００は、取付下地材６ａと取付下地材６ｂとの間に位置し、鉄骨柱１００、取付下地材６ａ、及び取付下地材６ｂの内面側には、内装材９０としての石膏ボードが取り付けられる。
【００３９】
ガスケット３は、目地１２の延在方向に亘って、目地１２を閉塞可能な長尺部材である。図１に示すように、ガスケット３は、上下方向に延在する目地１２に外面側から挿入され、目地１２を閉塞する。更に、ガスケット３の内面には粘着部１６が形成されており、この粘着部１６は、ボード状断熱材１１ａ及び１１ｂの継ぎ目部分において、ボード状断熱材１１ａ及び１１ｂの両方の外面に跨って粘着している。更に、粘着部１６は、隣接する２つのボード状断熱材１１ａ及び１１ｂの継ぎ目部分のみならず、ボード状断熱材１１ａを含むボード状断熱材層５ａ及びボード状断熱材１１ｂを含むボード状断熱材層５ｂの継ぎ目部分全域において、ボード状断熱材層５ａ及び５ｂの両方の外面に跨って粘着している。より具体的に、粘着部１６は、ボード状断熱材層５ａの外面の右側縁部とボード状断熱材層５ｂの外面の左側縁部との両方に跨って粘着している。
【００４０】
このように、断熱気密外壁構造１によれば、外装パネル１０の外面側からであっても、外装パネル１０の内面側に位置する２つのボード状断熱材１１間の継ぎ目部分を気密化することができる。そのため、ボード状断熱材の継ぎ目部分に対してボード状断熱材の外面側から気密テープを貼着する気密工事を、外装パネルをボード状断熱材の外面側に取り付ける前に建設現場で行う必要が無くなる。すなわち、建設現場において、外装パネル及びボード状断熱部材を、それぞれ別々に取り付ける施工を行う必要性が無くなり、本実施形態のような、複数の外装パネル１０で構成される外装パネル層、複数のボード状断熱材１１で構成されるボード状断熱材層、及び取付下地材が一体化された複合パネルユニット２を工場で製造してから現場に搬送し、建設現場で連接させる施工を行うことが可能となる。
【００４１】
この施工方法によれば、ボード状断熱材間の気密工事を、外装パネルの外面側から実施できるため、従来は建設現場で行っていた多くの外壁工事を、工場で複合パネルユニット２を製造する際に実施することができ、建設現場では複合パネルユニット間の継ぎ目処理だけでよい。そのため、建設現場での省力化を実現することができると共に、工期短縮や、工場管理による品質向上を図ることができる。
【００４２】
また、建設現場で連接された複数の複合パネルユニット２間の継ぎ目処理（目地１２の閉塞処理及びボード状断熱材間の継ぎ目部分の閉塞処理）に関しても、ガスケット３を目地１２に挿入し、押し込む単純な作業により行うことができるため、施工者の施工ノウハウやテクニック等によらずに、安定した気密性の確保が可能となる。
【００４３】
以下、ガスケット３の詳細な構成について説明する。図５は、ガスケット３の横断面を示す図である。図５に示すように、本実施形態のガスケット３は、２つの外装パネル１０ａ及び１０ｂの側面に挟まれるガスケット本体１７と、このガスケット本体１７の内面側に第１粘着層１８を介在させて取り付けられる先端部材１９と、この先端部材１９の更に内面側に積層される第２粘着層２０と、を備える。なお、上述した粘着部１６は、本実施形態では第２粘着層２０により構成されている。
【００４４】
ガスケット本体１７の内面に単に粘着層を形成した構成としてもよいが、本実施形態のように、ガスケット本体１７と、粘着部１６としての第２粘着層２０との間に、先端部材１９を介在させる構成とすることにより、例えば地震等が発生した場合であっても、ガスケット本体１７のせん断破壊を抑制することができる。更に、ガスケット本体１７は、たとえ先端部材１９がせん断破壊してしまったとしても、第１粘着層１８により、ボード状断熱材１１ａ及び１１ｂ間の継ぎ目部分は依然として気密状態が維持されるため、建物の気密性能が大きく低減することを抑制できる。なお、本実施形態では、第１粘着層１８、先端部材１９及び第２粘着層２０を、両面テープにより構成している。具体的に、両面テープの両側の粘着層が第１粘着層１８及び第２粘着層２０を構成し、両面テープの金属フィルム又は合成樹脂フィルムの基材層が先端部材１９を構成している。ガスケット本体１７の内面（後述する胴部２１の内面）は平面であり、この内面に両面テープが積層されている。但し、第１粘着層１８、先端部材１９及び第２粘着層２０は、両面テープで構成することに限られるものではなく、各種構成により実現することが可能である。
【００４５】
ガスケット本体１７は、目地１２の延在方向である上下方向に沿って延在する長尺板状の胴部２１と、この胴部２１と一体で形成され、胴部２１の両側面から外方に突出し、外装パネル１０ａ及び１０ｂの側面に密着して目地１２内での胴部２１の位置を維持する突出部２２と、を備える。なお、上述した第１粘着層１８、先端部材１９及び第２粘着層２０を構成する両面テープは、胴部２１の内面に積層されている。
【００４６】
ここで、胴部２１の内面側の先端部２４は、内面側に向かうにつれて左右方向の幅（厚み）が漸増するように構成され、内面における幅が最も大きい構成となっている。両面テープは、この内面の全域を覆うように積層され、粘着部１６としての第２粘着層２０が広く確保されているため、粘着部１６を、ボード状断熱材１１ａ及び１１ｂの継ぎ目部分において、両者に跨って粘着させることが容易となる。また、突出部２２は、胴部２１の側面から外方に突出する複数のリップにより構成されている。この複数のリップは、形状を変形させながら、外装パネル１０ａ及び１０ｂの側面に対して密着する。ガスケット本体１７がリップを備えることにより、目地１２における気密性や防水性を確保することができる。更には、ガスケット５を目地１２に挿入する際に、胴部２１を挟んで両側のリップの反力が均等であるために、目地１２における胴部２１の左右方向位置が中央部に安定的に維持されるため、胴部２１の内面側に位置する第２粘着層２０（粘着部１６）を、より確実に、ボード状断熱材１１ａ及び１１ｂの継ぎ目部分に粘着させることができる。
【００４７】
なお、本実施形態のガスケット本体１７は、塩化ビニルやクロロプレンなど、難燃性の樹脂材料で構成することができる。また、本実施形態のガスケット本体１７は、３ｍ程度の長尺部材としているが、目地１２の延在方向の長さ等に応じて、適宜変更することが可能である。更に、本実施形態では、ボード状断熱材１１ａ及び１１ｂの外面と粘着する粘着部１６は、アクリル系やブチル系の粘着剤を使用しているが、ボード状断熱材の材質等に応じて適宜変更することができる。
【００４８】
また、本実施形態のガスケット３は、目地処理材Ｘとしての湿式シーリング材８０が外面側に充填されるバックアップ材（バッカー）である。湿式シーリング材８０は、ガスケット３のガスケット本体１７の外面側に充填される。ガスケット３をバッカーとして、その外面側に湿式シーリング材８０を充填する構成とすれば、湿式シーリング材８０が外装パネル１０の側面に隙間なく密着するため、目地１２の気密性及び防水性を一層向上させることができると共に、建物の外観の意匠性をも向上させることができる。
【００４９】
最後に、断熱気密外壁構造１の施工方法について、図６（ａ）〜図６（ｅ）の平断面図を参照して説明する。図６（ａ）は、鉄骨柱１００の外面側に、第２の複合パネルユニット２ｂを設置した状態を示す。第２の複合パネルユニット２ｂは、上述したように、その上下方向の両端部が、取付下地材６ｂを介して基礎や鉄骨梁に固定される。図６（ｂ）は、図６（ａ）の状態から、第１のパネルユニット２ａを挿入しつつある状態を示す。そして図６（ｃ）は、第１の複合パネルユニット２ａを設置した状態を示す。第１の複合パネルユニット２ａについても、上述したように、その上下方向の両端部が、取付下地材６ａを介して基礎や鉄骨梁に固定される。なお、図６（ｃ）の状態において、外装パネル層４ａ及び４ｂの側面間には目地１２が形成されている。また、目地１２の目地底の位置で、ボード状断熱材層５ａ及び５ｂの間の継ぎ目部分が形成されている。本実施形態の継ぎ目部分は、ボード状断熱材層５ａの右面と、ボード状断熱材層５ｂの左面とを１ｍｍ以下の間隙を隔てて隣接させることにより形成されている。
【００５０】
図６（ｄ）は、ガスケット３としてのバッカーを目地１２に挿入する直前の状態を示す。なお、ガスケット３の内面を形成する両面テープの一方の粘着層（粘着部１６、第２粘着層２０）は、ガスケット３の未使用時において、離型紙が積層されることにより保護されている。そして、図６（ｄ）に示すような、ガスケット３を目地１２に挿入する施工時に、離型紙は取り外される。図６（ｅ）は、ガスケット３が、一方の粘着層（粘着部１６、第２粘着層２０）が継ぎ目部分の外面に粘着して圧着するまで押し込まれた状態を示す。図６（ｅ）の状態で、両面テープの一方の粘着層は、外装パネル層４ａ及び４ｂ間に形成された目地１２の上下方向全域に亘って、ボード状断熱材１１ａ及び１１ｂの両方の外面に跨って粘着している。これにより、継ぎ目部分は閉塞されて気密化される。
【００５１】
その後、図１に示すように、ガスケット３としてのバッカーの外面側に、湿式シーリング材８０が充填されると共に、鉄骨柱１００、取付下地材６ａ及び取付下地材６ｂの内面側に、内装材９０としての石膏ボードが取り付けられる。
【００５２】
本発明に従う断熱気密外壁構造は、本実施形態に限定されるものではなく、特許請求の範囲に従う範囲で種々の変更が可能である。例えば、本実施形態の断熱気密外壁構造１では、複合パネルユニット２を用いて外壁を構成したが、複合パネルユニットとせずに、外装パネル１０やボード状断熱材１１等を、現場で別々に施工することにより断熱気密外壁構造を構成するようにしてもよい。また、本実施形態の複合パネルユニット２は、複数の外装パネル１０により構成される外装パネル層、及び複数のボード状断熱材１１により構成されるボード状断熱材層を備えるが、例えば、１つのみの外装パネル１０で構成された外装パネル層や、１つのみのボード状断熱材１１で構成されたボード状断熱材層を備える複合パネルユニットとしてもよい。
【産業上の利用可能性】
【００５３】
本発明は、断熱気密外壁構造に関し、特に、ガスケットを用いた断熱気密外壁構造に関する。
【符号の説明】
【００５４】
１：断熱気密外壁構造
２：複合パネルユニット
２ａ：第１の複合パネルユニット
２ｂ：第２の複合パネルユニット
３：ガスケット
４ａ、４ｂ：外装パネル層
５ａ、５ｂ：ボード状断熱材層
６ａ、６ｂ：取付下地材
７ａ、７ｂ：ボード面材
８ａ、８ｂ：充填断熱材層
９ａ、９ｂ：通気胴縁
１０、１０ａ、１０ｂ：外装パネル
１１、１１ａ、１１ｂ：ボード状断熱材
１２：目地
１４ａ：一方の溝壁
１５ａ：他方の溝壁
１６：粘着部
１７：ガスケット本体
１８：第１粘着層
１９：先端部材
２０：第２粘着層
２１：胴部
２２：突出部
６０ａ：横材
６１ａ：縦材
８０：湿式シーリング材
９０：内装材
９１：締結手段
１００：鉄骨柱（柱部材）
Ｏ４：外装パネル層の左右方向中心線
Ｏ５：ボード状断熱材層の左右方向中心線
Ｘ：目地処理材
Ｙ：気密テープ
【図１】
0006422687.tif 000002
【図２】
0006422687.tif 000003
【図３】
0006422687.tif 000004
【図４】
0006422687.tif 000005
【図５】
0006422687.tif 000006
【図６（ａ）】
0006422687.tif 000007
【図６（ｂ）】
0006422687.tif 000008
【図６（ｃ）】
0006422687.tif 000009
【図６（ｄ）】
0006422687.tif 000010
【図６（ｅ）】
0006422687.tif 000011